(57)【要約】【課題】  長年使用してもへたりが生じにくく、クッション性が良好で、かつ保温性にすぐれ、吸湿放散性にすぐれた敷きふとんをエコロジーに沿った素材を使用して実現する。【解決手段】  巻綿層と中芯層からなる敷きふとんにおいて、巻綿層１Ａにダウンを使用すると共に、中芯層１Ｂの全部または一部にスモールフェザーを使用する。【選択図】      図１
0003154682.tif 000002
【実用新案登録請求の範囲】
【請求項１】
巻綿層と中芯層からなる敷きふとんにおいて、巻綿層にダウンを使用すると共に、中芯層の全部または一部にスモールフェザーを使用したことを特徴とする敷きふとん。
【請求項２】
外周に襠を設けた袋体内に中芯層に使用するスモールフェザーを充填すると共に、上記袋体内に中襠を設けることにより充填されたスモールフェザーを中襠と外周の襠で区切られる部屋単位で区画する請求項１記載の敷きふとん。
【請求項３】
上層をダウンを使用した巻綿層、下層をスモールフェザーを使用した中芯層とした上下２層からなる請求項１または２記載の敷きふとん。
【請求項４】
最上層および最下層をダウンを使用した巻綿層、中層をスモールフェザーを使用した第１中芯層と、ポリエステル固綿を使用した第２中芯層とした上下４層からなる請求項１または２記載の敷きふとん。
【請求項５】
最上層および最下層をダウンを使用した巻綿層、中層をポリエステル固綿を使用した第１中芯層と、スモールフェザーを使用した第２中芯層と、ポリエステル固綿を使用した第３中芯層とした上下５層からなる請求項１または２記載の敷きふとん。
【考案の詳細な説明】
【技術分野】
【０００１】
この考案は敷きふとん関する。
【背景技術】
【０００２】
敷きふとんとして巻綿と中芯にポリエステル綿を使用したものが広く使用されている。
【先行技術文献】
【特許文献】
【０００３】
【特許文献１】実用新案登録第３０５５９９９号公報
【考案の概要】
【考案が解決しようとする課題】
【０００４】
しかしながら、ポリエステル素材は弾力性が乏しく、使用しているあいだにへたりが生じ、その結果、クッション性が失われて快適な肌触りや寝心地が失われる問題があった。また、通気性や吸湿性もさほど高いとはいえず、へたりによりそれらがより低下する問題があった。
【０００５】
一方、嵩高で、保温性や通気性、吸湿性にすぐれた素材としてはスモールフェザーが存し、これを使用した掛けふとんも存するが、これを敷きふとんに使用した場合は体圧に対する嵩高保持性が弱いことから就寝者に底付き感を感じさせてしまう問題が生じる。
【課題を解決するための手段】
【０００６】
この考案は従来の敷きふとんの問題点に鑑みて創作されたものであり、巻綿層と中芯層からなる敷きふとんにおいて、巻綿層にダウンを使用すると共に、中芯層の全部または一部にスモールフェザーを使用したことを特徴とする。
【０００７】
また、ここでは前記の敷きふとんにおいて、外周に襠を設けた袋体内に中芯層に使用するスモールフェザーを充填すると共に、上記袋体内に中襠を設けることにより充填されたスモールフェザーを中襠と外周の襠で区切られる部屋単位で区画する考案も第２考案として開示する。
【０００８】
また、ここでは前記の敷きふとんにおいて、上層をダウンを使用した巻綿層、下層をスモールフェザーを使用した中芯層として上下２層とした考案も第３考案として開示する。
【０００９】
また、ここでは前記の敷きふとんにおいて、最上層および最下層をダウンを使用した巻綿層、中層をスモールフェザーを使用した第１中芯層と、ポリエステル固綿を使用した第２中芯層として上下４層とした考案も第４考案として開示する。
【００１０】
また、ここでは前記の敷きふとんにおいて、最上層および最下層をダウンを使用した巻綿層、中層をポリエステル固綿を使用した第１中芯層と、スモールフェザーを使用した第２中芯層と、ポリエステル固綿を使用した第３中芯層として上下５層とした考案も第５考案として開示する。
【考案の効果】
【００１１】
この考案の敷き布団によれば、巻綿層にダウンを使用すると共に、中芯層の全部または一部にスモールフェザーを使用した複層構造としているので、保温性にすぐれたダウンの特性、吸湿放散性にすぐれたスモールフェザーの特性を生かしつつ、体圧に対する嵩高保持性も確保され、底付き感が防止される。
【００１２】
一方、ダウンやスモールフェザーが持つ高い嵩高回復性により、長年使用してもへたりが生じにくく、いつまでも独特の優しい弾力性が維持され快適な肌触りや寝心地が得られる効果を奏する。
【００１３】
また、この考案の敷きふとんによれば、ダウンとフェザーの特性の違いを生かし、顧客の嗜好に合わせたクッション性（ホールド感）のきめ細かい調整が可能となる。例えば、重量比においてスモールフェザーの比率を高めると固めのクッション性を有する敷きふとんが得られ、逆にダウンの比率を高めると柔らかめのクッション性を有する敷きふとんが得られる。
【００１４】
同様に、ダウンとフェザーの特性の違いを生かし、顧客の嗜好に合わせた季節性のきめ細かい調整も可能となる。例えば、汗をかきやすい顧客には、吸湿放散性が高いという特性を有するスモールフェザーの比率を高め吸湿放散性が高い敷きふとんとし、寒がりの顧客には暖かい空気の層を含みやすく保温力が高いという特性を有するダウンの比率を高め保温力が高い敷きふとんとする。
【００１５】
一方、スモールフェザーを中襠と外周の襠で区切られる部屋単位で区画する第２考案においては一部屋毎にスモールフェザーが充填されるので、就寝者の挙動によって布団が部分的に沈んでもスモールフェザーが偏ることがなく、中芯が身体を均等に支えて快適な眠りを実現する。
【００１６】
ところで、スモールフェザーは、そもそも食肉用に飼育された水鳥の廃棄されていた部分である。また、ポリエステル綿についても、使用済みのペットボトルを回収し、リサイクルする再生ポリエステル綿を使用することや、生産過程に発生する落ち綿を拾い上げて再生することもできる。この考案の敷きふとんはこのような資源を再利用することができ、エコロジーにも寄与する効果を得られる。
【図面の簡単な説明】
【００１７】
【図１】この考案の敷きふとんの第１実施例の一部切り欠き斜視図。
【図２】同上、中芯箇所の構成図。
【図３】この考案の敷きふとんの第２実施例の一部切り欠き斜視図。
【図４】この考案の敷きふとんの第３実施例の一部切り欠き斜視図。
【考案を実施するための形態】
【００１８】
以下、この考案の敷きふとんの実施例を添付図面に基づいて説明する。図１は第１実施例の敷きふとんを示す図であり、ここでは敷きふとん１を上層をダウンを使用した巻綿層１Ａ、下層をスモールフェザーを使用した中芯層２Ａとした上下２層としている。
この実施例においては各層の充填物の重量を次のように設定している。
上層（巻綿層１Ａ）  ダウン              ０．３〜０．６ｋｇ
下層（中芯層１Ｂ）  スモールフェザー    １．５〜３．０ｋｇ
【００１９】
この敷きふとんにおいては図２に示すように外周に襠３を設けた袋体２内に中芯層に使用するスモールフェザーを充填すると共に、上記袋体内に中襠４を設けることにより充填されたスモールフェザーを中襠と外周の襠で区切られる部屋単位で区画している。
【００２０】
図２は第２実施例の敷きふとんを示す図であり、ここでは敷きふとん１０を最上層および最下層をダウンを使用した巻綿層１０Ａ・１０Ｄ、中層をスモールフェザーを使用した第１中芯層１０Ｂと、ポリエステル固綿を使用した第２中芯層１０Ｃとした上下４層としている。
この実施例においては各層の充填物の重量を次のように設定している。
最上層（巻綿層１０Ａ）    ダウン              ０．３〜０．６ｋｇ
中層（第１中芯層１０Ｂ）  スモールフェザー    ２．０〜３．０ｋｇ
中層（第２中芯層１０Ｃ）  ポリエステル固綿    １．５〜２．０ｋｇ
最下層（巻綿層１０Ａ）    ダウン              ０．３〜０．６ｋｇ
【００２１】
図３は第３実施例の敷きふとんを示す図であり、ここでは敷きふとん２０を最上層および最下層をダウンを使用した巻綿層２０Ａ・２０Ｅ、中層をポリエステル固綿を使用した第１中芯層２０Ｂと、スモールフェザーを使用した第２中芯層２０Ｃと、ポリエステル固綿を使用した第３中芯層２０Ｄとした上下５層としている。
この実施例においては各層の充填物の重量を次のように設定している。
最上層（巻綿層２０Ａ）    ダウン              ０．３〜０．６ｋｇ
中層（第１中芯層２０Ｂ）  ポリエステル固綿    ０．７５〜２．０ｋｇ
中層（第２中芯層２０Ｃ）  スモールフェザー    ２．０〜３．０ｋｇ
中層（第２中芯層２０Ｄ）  ポリエステル固綿    ０．７５〜２．０ｋｇ
最下層（巻綿層２０Ｅ）    ダウン              ０．３〜０．６ｋｇ
【００２２】
なお、以上の実施例における充填物の重量は例示であり、ここに記載のものに限られないことはもちろんである。また、この考案の敷きふとんに関する技術は例えば次のようなものに応用できる。
(1) 寝具類（まくら、敷きパットなど）
(2) インテリアクッション類（フロアークッション，ベッドクッション、ソファクッションなど）
【符号の説明】
【００２３】
１                敷きふとん
１Ａ              巻綿層
１Ｂ              中芯層
１０Ａ            巻綿層  
１０Ｂ            中芯層
１０Ｃ            中芯層
１０Ａ            巻綿層  
２０Ａ            巻綿層
２０Ｂ            中芯層
２０Ｃ            中芯層
２０Ｄ            中芯層
２０Ｅ            巻綿層  
【図１】
0003154682.tif 000003
【図２】
0003154682.tif 000004
【図３】
0003154682.tif 000005
【図４】
0003154682.tif 000006